(57)【要約】【課題】ファン８から吹き出された空気流によって複数の照明用光源１および電子部品２ならびに基板３を効率良く冷却する。【解決手段】複数の照明用光源１と、複数の照明用光源１を制御する電子部品２と、複数の照明用光源１および電子部品２を実装するための基板３と、それらを冷却するファン８とを具備する照明装置において、複数の照明用光源１を基板３の上面上に環状に配列し、環状に配列された複数の照明用光源１のほぼ中心位置であって基板３の上面上に電子部品２を配置し、ファン８から吹き出される空気流の中心軸線上に電子部品２が位置するように、ファン８を基板３の下面の下側に配置した。【選択図】図２
2008078035.tif 000002
【特許請求の範囲】
【請求項１】
複数の照明用光源と、前記複数の照明用光源を制御するための電子部品と、前記複数の照明用光源および前記電子部品を実装するための基板と、それらを冷却するためのファンとを具備する照明装置において、前記複数の照明用光源を前記基板の上面上に環状に配列し、環状に配列された前記複数の照明用光源のほぼ中心位置であって前記基板の上面上に前記電子部品を配置し、前記ファンから吹き出される空気流の中心軸線上に前記電子部品が位置するように、前記ファンを前記基板の下側に配置したことを特徴とする照明装置。
【請求項２】
前記複数の照明用光源、前記電子部品および前記ファンを包囲するためのハウジングを設け、前記複数の照明用光源、前記電子部品および前記基板を冷却した空気流を照明装置の外側に排出するための複数の空気流排出穴を前記ハウジングの外周面に形成し、前記ファンから吹き出される空気流の中心軸線を中心にほぼ等角度間隔で前記複数の空気流排出穴を配列したことを特徴とする請求項１に記載の照明装置。
【請求項３】
光触媒が担持せしめられた光触媒担持体を前記基板の下面と前記ファンの上面との間に配置し、光触媒を活性化させるための光を照射する光触媒用光源を前記光触媒担持体の下面と前記ファンの上面との間に配置したことを特徴とする請求項１又は２に記載の照明装置。
【請求項４】
前記光触媒用光源から前記ファンの側に照射された光を前記光触媒担持体の側に反射するためのリフレクタを前記光触媒用光源と前記ファンとの間に配置したことを特徴とする請求項３に記載の照明装置。
【請求項５】
前記光触媒用光源から前記ファンの側に照射された光を前記光触媒担持体の側に反射するための反射膜を前記ファンの上面に形成したことを特徴とする請求項３に記載の照明装置。
【請求項６】
前記ファンから吹き出された空気流を通過させるための通気穴を前記光触媒担持体に形成し、前記通気穴を前記リフレクタの真上には配置せず、前記リフレクタの真上以外の位置に配置し、前記通気穴の壁面に光触媒を担持させたことを特徴とする請求項４に記載の照明装置。
【請求項７】
前記ファンにおける空気流の流路よりも前記光触媒担持体における空気流の流路を絞ったことを特徴とする請求項３〜６のいずれか一項に記載の照明装置。
【請求項８】
前記光触媒担持体の幅寸法を前記ファンの幅寸法よりも小さくしたことを特徴とする請求項７に記載の照明装置。
【発明の詳細な説明】
【技術分野】
【０００１】
本発明は、複数の照明用光源およびそれらを制御するための電子部品が基板に実装され、それらがファンによって冷却される照明装置に関し、特には、ファンから吹き出された空気流によって複数の照明用光源および電子部品ならびに基板を効率良く冷却することができる照明装置に関する。
【０００２】
詳細には、本発明は、空気流をガイドするためのガイド手段を基板とは別個に設ける必要なく、電子部品が配置されている位置に到達した空気流を複数の照明用光源が配列されている位置までガイドすることができる照明装置に関する。
【背景技術】
【０００３】
従来から、複数のＬＥＤと、複数のＬＥＤを制御するための電子部品と、複数のＬＥＤおよび電子部品を実装するための基板と、それらを冷却するためのファンとを具備する照明装置が知られている。この種の照明装置の例としては、例えば特開２００１−２１６８０３号公報に記載されたものがある。
【０００４】
特開２００１−２１６８０３号公報に記載された照明装置では、複数のＬＥＤがＬＥＤ用基板に実装され、複数のＬＥＤを制御するための電子部品が、ＬＥＤ用基板とは別個に設けられた電源基板に実装されている。更に、ファンのプロペラの回転軸が、電源基板に指向せしめられている。
【０００５】
ところで、特開２００１−２１６８０３号公報に記載された照明装置では、電子部品および電源基板がファンの下流側に配置され、ファンから吹き出された空気流が電子部品および電源基板に指向せしめられているものの、複数のＬＥＤおよびＬＥＤ用基板はファンの上流側に配置されており、ファンから吹き出された空気流が複数のＬＥＤおよびＬＥＤ用基板に指向せしめられていない。
【０００６】
そのため、特開２００１−２１６８０３号公報に記載された照明装置では、ファンから吹き出された空気流によって電子部品および電源基板を効率良く冷却することができるものの、ファンから吹き出された空気流によって複数のＬＥＤおよびＬＥＤ用基板を効率良く冷却することができない。
【０００７】
【特許文献１】特開２００１−２１６８０３号公報
【発明の開示】
【発明が解決しようとする課題】
【０００８】
前記問題点に鑑み、本発明は、ファンから吹き出された空気流によって複数の照明用光源および電子部品ならびにそれらが実装された基板を効率良く冷却することができる照明装置を提供することを目的とする。
【０００９】
詳細には、本発明は、空気流をガイドするためのガイド手段を基板とは別個に設ける必要なく、電子部品が配置されている位置に到達した空気流を複数の照明用光源が配列されている位置までガイドすることができる照明装置を提供することを目的とする。
【課題を解決するための手段】
【００１０】
請求項１に記載の発明によれば、複数の照明用光源と、前記複数の照明用光源を制御するための電子部品と、前記複数の照明用光源および前記電子部品を実装するための基板と、それらを冷却するためのファンとを具備する照明装置において、前記複数の照明用光源を前記基板の上面上に環状に配列し、環状に配列された前記複数の照明用光源のほぼ中心位置であって前記基板の上面上に前記電子部品を配置し、前記ファンから吹き出される空気流の中心軸線上に前記電子部品が位置するように、前記ファンを前記基板の下側に配置したことを特徴とする照明装置が提供される。
【００１１】
請求項２に記載の発明によれば、前記複数の照明用光源、前記電子部品および前記ファンを包囲するためのハウジングを設け、前記複数の照明用光源、前記電子部品および前記基板を冷却した空気流を照明装置の外側に排出するための複数の空気流排出穴を前記ハウジングの外周面に形成し、前記ファンから吹き出される空気流の中心軸線を中心にほぼ等角度間隔で前記複数の空気流排出穴を配列したことを特徴とする請求項１に記載の照明装置が提供される。
【００１２】
請求項３に記載の発明によれば、光触媒が担持せしめられた光触媒担持体を前記基板の下面と前記ファンの上面との間に配置し、光触媒を活性化させるための光を照射する光触媒用光源を前記光触媒担持体の下面と前記ファンの上面との間に配置したことを特徴とする請求項１又は２に記載の照明装置が提供される。
【００１３】
請求項４に記載の発明によれば、前記光触媒用光源から前記ファンの側に照射された光を前記光触媒担持体の側に反射するためのリフレクタを前記光触媒用光源と前記ファンとの間に配置したことを特徴とする請求項３に記載の照明装置が提供される。
【００１４】
請求項５に記載の発明によれば、前記光触媒用光源から前記ファンの側に照射された光を前記光触媒担持体の側に反射するための反射膜を前記ファンの上面に形成したことを特徴とする請求項３に記載の照明装置が提供される。
【００１５】
請求項６に記載の発明によれば、前記ファンから吹き出された空気流を通過させるための通気穴を前記光触媒担持体に形成し、前記通気穴を前記リフレクタの真上には配置せず、前記リフレクタの真上以外の位置に配置し、前記通気穴の壁面に光触媒を担持させたことを特徴とする請求項４に記載の照明装置が提供される。
【００１６】
請求項７に記載の発明によれば、前記ファンにおける空気流の流路よりも前記光触媒担持体における空気流の流路を絞ったことを特徴とする請求項３〜６のいずれか一項に記載の照明装置が提供される。
【００１７】
請求項８に記載の発明によれば、前記光触媒担持体の幅寸法を前記ファンの幅寸法よりも小さくしたことを特徴とする請求項７に記載の照明装置が提供される。
【発明の効果】
【００１８】
請求項１に記載の照明装置では、複数の照明用光源が、例えば円形状、多角形状のような環状に基板の上面上に配列されている。更に、複数の照明用光源を制御するための電子部品が、環状に配列された複数の照明用光源のほぼ中心位置であって基板の上面上に配置されている。また、ファンから吹き出される空気流の中心軸線上に電子部品が位置するように、ファンが基板の下面の下側に配置されている。
【００１９】
詳細には、請求項１に記載の照明装置では、ファンから吹き出された空気流が、まず最初に、電子部品が配置されている位置の基板の下面に到達する。それにより、電子部品、および、電子部品が配置されている位置の基板が冷却される。次いで、電子部品が配置されている位置の基板の下面を通過した空気流が、基板の下面に沿って放射状に広がり、複数の照明用光源が配列されている位置の基板の下面に到達する。それにより、複数の照明用光源、および、複数の照明用光源が配列されている位置の基板が冷却される。
【００２０】
そのため、請求項１に記載の照明装置によれば、ファンから吹き出された空気流によって複数の照明用光源および電子部品ならびにそれらが実装された基板を効率良く冷却することができる。
【００２１】
換言すれば、請求項１に記載の照明装置では、電子部品が配置されている位置の基板の下面に到達したファンからの空気流が、複数の照明用光源が配列されている位置の基板の下面まで基板の下面によってガイドされる。つまり、請求項１に記載の照明装置では、上面に複数の照明用光源および電子部品が実装されている基板の下面が、ファンからの空気流をガイドするガイド手段としての機能を有する。
【００２２】
そのため、請求項１に記載の照明装置によれば、空気流をガイドするためのガイド手段を基板とは別個に設ける必要なく、電子部品が配置されている位置に到達した空気流を複数の照明用光源が配列されている位置までガイドすることができる。
【００２３】
請求項２に記載の照明装置では、複数の照明用光源、電子部品およびファンを包囲するためのハウジングが設けられている。更に、複数の照明用光源、電子部品および基板を冷却した空気流を照明装置の外側に排出するための複数の空気流排出穴が、ハウジングの外周面に形成されている。また、複数の空気流排出穴が、ファンから吹き出される空気流の中心軸線を中心にほぼ等角度間隔で配列されている。
【００２４】
詳細には、請求項２に記載の照明装置では、電子部品が配置されている位置の基板の下面において放射状に広がった空気流が、ファンから吹き出される空気流の中心軸線を中心にほぼ等角度間隔で配列された複数の空気流排出穴を介して照明装置の外側に放射状に排出される。
【００２５】
換言すれば、請求項２に記載の照明装置では、電子部品が配置されている位置の基板の下面に到達した空気流が、ハウジングの周方向にほぼ均等に分散され、複数の空気流排出穴を介して放射状に排出される。
【００２６】
そのため、請求項２に記載の照明装置によれば、電子部品が配置されている位置の基板の下面に到達した空気流がハウジングの周方向に均等に分散されない場合よりも、基板およびその基板に実装された複数の照明用光源および電子部品を均一に冷却することができる。
【００２７】
請求項３に記載の照明装置では、光触媒が担持せしめられた光触媒担持体が、基板の下面とファンの上面との間に配置され、光触媒を活性化させるための光を照射する光触媒用光源が設けられている。詳細には、請求項３に記載の照明装置では、ファンから吹き出された空気流が、光触媒担持体に担持せしめられた光触媒によって浄化され、空気流排出穴を介して照明装置の外側に排出される。そのため、請求項３に記載の照明装置によれば、ファンから吹き出された空気流によって、複数の照明用光源および電子部品ならびに基板を冷却すると共に、浄化された空気流を照明装置の外側に排出することができる。
【００２８】
更に、請求項３に記載の照明装置では、光触媒用光源が、光触媒担持体の上側ではなく、つまり、基板の側ではなく、光触媒担持体の下側に、つまり、ファンの側に配置されている。そのため、請求項３に記載の照明装置によれば、光触媒用光源が光触媒担持体の上側に配置されるのに伴って、光触媒用光源からの光によって基板が劣化してしまうのを抑制することができる。
【００２９】
請求項４に記載の照明装置では、光触媒用光源からファンの側に照射された光を光触媒担持体の側に反射するためのリフレクタが、光触媒用光源とファンとの間に配置されている。つまり、請求項４に記載の照明装置では、光触媒用光源からファンの側に照射された光が、リフレクタによって反射され、光触媒担持体に照射される。その結果、請求項４に記載の照明装置では、光触媒用光源からファンの側に照射された光が、ファンに到達することなく、光触媒を活性化させるために用いられる。
【００３０】
そのため、請求項４に記載の照明装置によれば、光触媒用光源からファンの側に照射された光によってファンの構成部品が劣化してしまうのを抑制しつつ、光触媒用光源からファンの側に照射された光が光触媒を活性化させるために用いられない場合よりも、光触媒作用を増加させることができる。
【００３１】
請求項５に記載の照明装置では、光触媒用光源からファンの側に照射された光を光触媒担持体の側に反射するための反射膜が、ファンの上面に形成されている。つまり、請求項５に記載の照明装置では、光触媒用光源からファンの側に照射された光が、反射膜によって反射され、光触媒担持体に照射される。その結果、請求項５に記載の照明装置では、光触媒用光源からファンの側に照射された光が、ファンに到達することなく、光触媒を活性化させるために用いられる。
【００３２】
そのため、請求項５に記載の照明装置によれば、光触媒用光源からファンの側に照射された光によってファンの構成部品が劣化してしまうのを抑制しつつ、光触媒用光源からファンの側に照射された光が光触媒を活性化させるために用いられない場合よりも、光触媒作用を増加させることができる。
【００３３】
ファンから吹き出された空気流はリフレクタを避けて上昇するため、光触媒担持体の通気穴をリフレクタの真上に形成しても、空気流は、リフレクタの真上に形成されたその通気穴を殆ど通過しない。
【００３４】
この点に鑑み、請求項６に記載の照明装置では、ファンから吹き出された空気流を通過させるために光触媒担持体に形成された通気穴が、リフレクタの真上には配置されず、リフレクタの真上以外の位置に配置されている。更に、光触媒が、その通気穴の壁面に担持せしめられている。そのため、請求項６に記載の照明装置によれば、空気流の少ない通気穴の壁面に担持せしめられる光触媒の量を低減することができる。
【００３５】
請求項７及び８に記載の照明装置では、光触媒担持体における空気流の流路が、ファンにおける空気流の流路よりも絞られている。詳細には、光触媒担持体の幅寸法がファンの幅寸法よりも小さくされている。そのため、請求項７及び８に記載の照明装置によれば、ファンを通過する空気流速よりも光触媒担持体を通過する空気流速を速くすることができる。その結果、光触媒担持体を通過する空気流速が遅い場合よりも、光触媒担持体に担持せしめられた光触媒による空気流の浄化効率を向上させることができる。つまり、請求項７及び８に記載の照明装置によれば、ファンの回転数を増加させる必要なく、光触媒による空気流の浄化効率を向上させることができる。
【発明を実施するための最良の形態】
【００３６】
以下、本発明の照明装置の第１の実施形態について説明する。図１は第１の実施形態の照明装置の斜視図、図２は第１の実施形態の照明装置の分解斜視図、図３および図４は導光レンズ６を取り外した状態における第１の実施形態の照明装置を示した図である。詳細には、図３（Ａ）は導光レンズ６を取り外した状態における第１の実施形態の照明装置の平面図、図３（Ｂ）は導光レンズ６を取り外した状態における第１の実施形態の照明装置の正面図、図３（Ｃ）は図３（Ａ）のＡ−Ａ断面図である。図４（Ａ）は導光レンズ６を取り外した状態における第１の実施形態の照明装置の左側面図、図４（Ｂ）は図３（Ａ）のＢ−Ｂ断面図、図４（Ｃ）は第１の実施形態の照明装置の底面図である。
【００３７】
図１〜図４において、１は例えばＬＥＤのような照明用光源、２は照明用光源１を制御するための電子部品、３は照明用光源１および電子部品２が実装された基板を示している。４は照明用光源１、電子部品２、基板３などを包囲するためのハウジング、４ａはハウジング４の外周面、４ｂはハウジング４の外周面４ａに形成された穴を示している。５は導光レンズ６を固定するためのレンズ固定台、５ａはレンズ固定台５に形成された穴、７はハウジング４を支持するためのベースを示している。８は照明用光源１、電子部品２および基板３を冷却するためのファン（羽根およびハブは図示せず）を示している。９は空気を浄化するための光触媒が担持せしめられた例えば海綿状の光触媒担持体を示している。１０は光触媒を活性化させるための光を照射する例えば冷陰極蛍光ランプ、紫外ＬＥＤなどのような光触媒用光源を示している。１２はスイッチ、１３はスイッチカバーを示している。
【００３８】
図５はファン８から吹き出された空気の流れを概略的に示した図である。詳細には、図５（Ａ）は照明装置の水平断面内における空気の流れを概略的に示した図、図５（Ｂ）は照明装置の鉛直断面内における空気の流れを概略的に示した図、図５（Ｃ）はファン８の幅寸法Ｗ８と光触媒担持体９の幅寸法Ｗ９との関係を概略的に示した図である。
【００３９】
第１の実施形態の照明装置では、図２および図３（Ａ）に示すように、３２個の照明用光源１が、基板３の上面上に円形状に配列されている。また、レンズ固定台５の１６個の穴が、照明用光源１１の真上に配置されている。更に、図１および図２に示すように、導光レンズ６の下端をレンズ固定台５の穴５ａに挿入することにより、導光レンズ６がレンズ固定台５に固定されている。その結果、第１の実施形態の照明装置では、図２に示すように、照明用光源１から放射された光が、導光レンズ６の下面から入射せしめられ、導光レンズ６によって導光され、導光レンズ６の側面および上面から出射される。
【００４０】
更に、第１の実施形態の照明装置では、照明用光源１、電子部品２および基板３が、ファン８から吹き出される空気流によって冷却される。具体的には、第１の実施形態の照明装置では、図２および図３（Ａ）に示すように、３２個の照明用光源１が、基板３の上面上に円形状に配列され、電子部品２が、円形状に配列された３２個の照明用光源１のほぼ中心位置であって基板３の上面上に配置されている。更に、図２、図５（Ａ）および図５（Ｂ）に示すように、ファン８から吹き出される空気流の中心軸線上に電子部品２が位置するように、ファン８が基板３の下面の下側に配置されている。
【００４１】
詳細には、第１の実施形態の照明装置では、図５（Ｂ）に示すように、ファン８から吹き出された空気流が、まず最初に、電子部品２が配置されている位置の基板３の下面に到達する。それにより、電子部品２、および、電子部品２が配置されている位置の基板３が冷却される。次いで、電子部品２が配置されている位置の基板３の下面を通過した空気流が、図５（Ａ）および図５（Ｂ）に示すように、基板３の下面に沿って放射状に広がり、３２個の照明用光源１が配列されている位置の基板３の下面に到達する。それにより、３２個の照明用光源１、および、３２個の照明用光源１が配列されている位置の基板３が冷却される。
【００４２】
そのため、第１の実施形態の照明装置によれば、ファン８から吹き出された空気流によって３２個の照明用光源１および電子部品２ならびにそれらが実装された基板３を効率良く冷却することができる。
【００４３】
換言すれば、第１の実施形態の照明装置では、図５（Ｂ）に示すように、電子部品２が配置されている位置の基板３の下面に到達したファン８からの空気流が、３２個の照明用光源１が配列されている位置の基板３の下面まで基板３の下面によってガイドされる。つまり、第１の実施形態の照明装置では、上面に３２個の照明用光源１および電子部品２が実装されている基板３の下面が、ファン８からの空気流をガイドするガイド手段としての機能を有する。そのため、第１の実施形態の照明装置によれば、空気流をガイドするためのガイド手段を基板３とは別個に設ける必要なく、電子部品２が配置されている位置に到達した空気流を３２個の照明用光源１が配列されている位置までガイドすることができる。
【００４４】
第１の実施形態の照明装置では、図２および図３（Ａ）に示すように、３２個の照明用光源１が円形状に配列されているが、第２の実施形態の照明装置では、代わりに、３２個以外の任意の数の照明用光源を円形状に配列したり、任意の数の照明用光源を例えば多角形状のような環状に配列したりすることも可能である。
【００４５】
また、第１の実施形態の照明装置では、図３（Ｃ）および図４（Ｂ）に示すように、３２個の照明用光源１、電子部品２、基板３およびファン８が、ハウジング４によって包囲されている。更に、図３（Ａ）および図５（Ａ）に示すように、ハウジング４の外周面４ａに形成された複数の穴４ｂが、ハウジング４、基板３およびファン８の中心軸線を中心に、換言すれば、ファン８から吹き出される空気流の中心軸線を中心にほぼ等角度間隔で配列されている。
【００４６】
詳細には、第１の実施形態の照明装置では、図５（Ａ）および図５（Ｂ）に示すように、電子部品２が配置されている位置の基板３の下面において放射状に広がった空気流が、ファン８から吹き出される空気流の中心軸線を中心にほぼ等角度間隔で配列された複数の穴４ｂを介して照明装置の外側に放射状に排出される。換言すれば、電子部品２が配置されている位置の基板３の下面に到達した空気流が、ハウジング４の周方向にほぼ均等に分散され、複数の穴４ｂを介して放射状に排出される。そのため、第１の実施形態の照明装置によれば、基板３およびその基板３に実装された３２個の照明用光源１および電子部品２を均一に冷却することができる。
【００４７】
更に、第１の実施形態の照明装置では、図３（Ｃ）および図４（Ｂ）に示すように、光触媒担持体９が基板３の下面とファン８の上面との間に配置され、光触媒担持体９に担持せしめられた光触媒を活性化させるための光を照射する光触媒用光源１０が設けられている。詳細には、第１の実施形態の照明装置では、図５（Ｂ）に示すように、ファン８から吹き出された空気流が、光触媒担持体９に担持せしめられた光触媒によって浄化され、ハウジング４の穴４ｂを介して照明装置の外側に排出される。
【００４８】
また、第１の実施形態の照明装置では、図３（Ｃ）および図４（Ｂ）に示すように、光触媒用光源１０が、光触媒担持体９の上側（図３（Ｃ）および図４（Ｂ）の上側）ではなく、光触媒担持体９の下側（図３（Ｃ）および図４（Ｂ）の下側）に配置されている。そのため、第１の実施形態の照明装置によれば、光触媒用光源１０が光触媒担持体９の上側に配置されるのに伴って、光触媒用光源１０からの光によって基板３が劣化してしまうのを抑制することができる。
【００４９】
更に、第１の実施形態の照明装置では、図５（Ｂ）に示すように、光触媒担持体９における空気流路が、ファン８における空気流路よりも絞られている。詳細には、図５（Ｃ）に示すように、光触媒担持体９の幅寸法Ｗ９がファン８の幅寸法Ｗ８よりも小さくされている。更に詳細には、光触媒担持体９における空気流路の断面積が、ファン８における空気流路の断面積よりも小さくされている。そのため、第１の実施形態の照明装置によれば、ファン８を通過する空気流速よりも光触媒担持体９を通過する空気流速を速くすることができる。その結果、光触媒担持体９を通過する空気流速が遅い場合よりも、光触媒担持体９に担持せしめられた光触媒による空気流の浄化効率を向上させることができる。つまり、第１の実施形態の照明装置によれば、ファン８の回転数を増加させる必要なく、光触媒による空気流の浄化効率を向上させることができる。
【００５０】
第１の実施形態の照明装置では、光触媒担持体９および光触媒用光源１０が設けられているが、第３の実施形態の照明装置では、代わりに、光触媒担持体９および光触媒用光源１０を省略することも可能である。
【００５１】
更に、第１の実施形態の照明装置では、照明用光源１、ファン８および光触媒用光源１０のＯＮ／ＯＦＦがスイッチ１２によって切り換えられるが、第４の実施形態の照明装置では、代わりに、照明用光源１、ファン８および光触媒用光源１０をプログラムによって制御することも可能である。具体的には、第４の実施形態の照明装置では、照明用光源１がＯＦＦされると、ファン８が所定時間の間、ＯＮし続けられる。そのため、第４の実施形態の照明装置によれば、ファン８から吹き出される空気流によって照明用光源１、電子部品２および基板３の余熱を迅速に冷却することができる。更に、第４の実施形態の照明装置では、ファン８がＯＮし続けられる間、光触媒用光源１０もＯＮし続けられる。そのため、第４の実施形態の照明装置によれば、照明用光源１、電子部品２および基板３の余熱を冷却するための空気流を浄化して照明装置の外側に排出することができる。
【００５２】
以下、本発明の照明装置の第５の実施形態について説明する。第５の実施形態の照明装置は、後述する点を除き、上述した第１の実施形態の照明装置とほぼ同様に構成されている。従って、第５の実施形態の照明装置によれば、後述する点を除き、上述した第１の実施形態の照明装置とほぼ同様の効果を奏することができる。
【００５３】
図６および図７は導光レンズおよびレンズ固定台を取り外した状態における第５の実施形態の照明装置を示した図である。詳細には、図６（Ａ）は導光レンズおよびレンズ固定台を取り外した状態における第５の実施形態の照明装置の斜視図、図６（Ｂ）は導光レンズおよびレンズ固定台を取り外した状態における第５の実施形態の照明装置の平面図、図７（Ａ）は導光レンズおよびレンズ固定台を取り外した状態における第５の実施形態の照明装置の正面図、図７（Ｂ）は図６（Ｂ）のＣ−Ｃ断面図である。
【００５４】
第１の実施形態の照明装置では、図４（Ｂ）に示すように、基板３がハウジング４の上端より下側に配置され、図５（Ａ）および図５（Ｂ）に示すように、電子部品２が配置されている位置の基板３の下面において放射状に広がった空気流が、ハウジング４の外周面４ａに形成された複数の穴４ｂを介して照明装置の外側に放射状に排出されるが、第５の実施形態の照明装置では、図６（Ａ）、図７（Ａ）および図７（Ｂ）に示すように、基板３がハウジング１４の上端より上側に配置され、図７（Ｂ）に示すように、電子部品２が配置されている位置の基板３の下面において放射状に広がった空気流が、基板３の下面とハウジング１４の上端との間の隙間２０を介して照明装置の外側に放射状に排出される。
【００５５】
換言すれば、第５の実施形態の照明装置では、電子部品２が配置されている位置の基板３の下面に到達した空気流が、ハウジング４の周方向にほぼ均等に分散され、隙間２０を介して放射状に排出される。そのため、第５の実施形態の照明装置によれば、第１の実施形態の照明装置と同様に、基板３およびその基板３に実装された３２個の照明用光源１および電子部品２を均一に冷却することができる。
【００５６】
また、第１の実施形態の照明装置では、図３（Ｃ）および図４（Ｂ）に示すように、光触媒用光源１０から下側に照射された光を上側に反射するためのリフレクタが設けられていないが、第５の実施形態の照明装置では、図７（Ｂ）に示すように、光触媒用光源１０から下側に照射された光を上側に反射するためのリフレクタ２１が、光触媒用光源１０とファン８との間に配置されている。
【００５７】
図８は第５の実施形態の照明装置の光触媒用光源１０から照射された光の光路を示した図である。第５の実施形態の照明装置では、図８に示すように、光触媒用光源１０から上側に照射された光が、光触媒担持体１９に照射される。更に、光触媒用光源１０から下側に照射された光が、リフレクタ２１によって反射され、光触媒担持体１９に照射される。つまり、第５の実施形態の照明装置では、光触媒用光源１０から下側に照射された光が、ファン８に到達することなく、光触媒を活性化させるために用いられる。そのため、第５の実施形態の照明装置によれば、光触媒用光源１０からファン８の側（図８の下側）に照射された光によってファン８の構成部品が劣化してしまうのを抑制しつつ、光触媒用光源１０からファン８の側（図８の下側）に照射された光によって光触媒作用を増加させることができる。
【００５８】
更に、第１の実施形態の照明装置では、光触媒担持体９が海綿状に構成されているが、第５の実施形態の照明装置では、鉛直方向に延びている複数の通気穴１９ａが光触媒担持体１９に形成され、それらの通気穴１９ａの壁面に光触媒が担持せしめられている。
【００５９】
図９は第５の実施形態の照明装置の光触媒担持体１９などを示した図である。詳細には、図９（Ａ）は光触媒担持体１９などを正面から見た断面図、図９（Ｂ）は光触媒担持体１９などを上側から見た平面図である。
【００６０】
第５の実施形態の照明装置では、図９（Ａ）および図９（Ｂ）に示すように、ファン８から吹き出された空気流を通過させるために光触媒担持体１９に形成された通気穴１９ａが、リフレクタ２１の真上には配置されず、リフレクタ２１の真上以外の位置に配置されている。
【００６１】
第５の実施形態の照明装置では、図９（Ｂ）に示すように、光触媒担持体１９の通気穴１９ａがリフレクタ２１の真上に配置されていないが、第６の実施形態の照明装置では、代わりに、光触媒担持体１９の通気穴１９ａをリフレクタ２１の真上に配置することも可能である。
【００６２】
また、第５の実施形態の照明装置では、図８に示すように、光触媒用光源１０からファン８の側に照射された光を光触媒担持体１９の側に反射するためにリフレクタ２１が設けられているが、第７の実施形態の照明装置では、代わりに、光触媒用光源１０からファン８の側に照射された光を光触媒担持体９，１９の側に反射するために、例えばアルミニウム蒸着膜のような反射膜をファン８の上面に形成することも可能である。詳細には、第７の実施形態の照明装置では、反射膜が、ファン８のケーシングの上面、羽根の上面、および、ハブの上面に形成されている。
【００６３】
更に、第５の実施形態の照明装置では、図９（Ｂ）に示すように、円形断面を有する通気穴１９ａが光触媒担持体１９に形成されているが、第８の実施形態の照明装置では、代わりに、例えば四角形のような円形以外の任意の断面形状を有する通気穴を光触媒担持体に形成したり、光触媒担持体をハニカム状に形成したりすることも可能である。
【００６４】
第９の実施形態では、上述した第１から第８の実施形態を適宜組合わせることも可能である。
【図面の簡単な説明】
【００６５】
【図１】第１の実施形態の照明装置の斜視図である。
【図２】第１の実施形態の照明装置の分解斜視図である。
【図３】導光レンズ６を取り外した状態における第１の実施形態の照明装置を示した図である。
【図４】導光レンズ６を取り外した状態における第１の実施形態の照明装置を示した図である。
【図５】ファン８から吹き出された空気の流れを概略的に示した図である。
【図６】導光レンズおよびレンズ固定台を取り外した状態における第５の実施形態の照明装置を示した図である。
【図７】導光レンズおよびレンズ固定台を取り外した状態における第５の実施形態の照明装置を示した図である。
【図８】第５の実施形態の照明装置の光触媒用光源１０から照射された光の光路を示した図である。
【図９】第５の実施形態の照明装置の光触媒担持体１９などを示した図である。
【符号の説明】
【００６６】
１                  照明用光源
２                  電子部品
３                  基板
４                  ハウジング
４ａ                外周面
４ｂ                穴
５                  レンズ固定台
５ａ                穴
６                  導光レンズ
７                  ベース
８                  ファン
９                  光触媒担持体
１０                光触媒用光源
１２                スイッチ
１３                スイッチカバー
【図１】
2008078035.tif 000003
【図２】
2008078035.tif 000004
【図３】
2008078035.tif 000005
【図４】
2008078035.tif 000006
【図５】
2008078035.tif 000007
【図６】
2008078035.tif 000008
【図７】
2008078035.tif 000009
【図８】
2008078035.tif 000010
【図９】
2008078035.tif 000011